(57)【要約】【課題】  リサイクルされる感光体ユニットの外観不良を防止する。【解決手段】  レーザープリンタ１０の感光体ユニット１１をリサイクルする際に、支持フレーム１４の右側下面１４Ａに出来た傷をドライアイスブラスト加工によって消して支持フレーム１４を再利用する。【選択図】  図５
2005326649.tif 000002
【特許請求の範囲】
【請求項１】
少なくとも感光体を支持した支持フレームが、画像形成装置本体に挿抜可能に収納された画像形成装置のリサイクル方法であって、
前記画像形成装置本体が、前記支持フレームに摺擦する摺擦部材を備え、
前記摺擦部材が摺擦する前記支持フレームの摺擦部に付いた傷をブラスト加工によって消すことを特徴とする画像形成装置のリサイクル方法。
【請求項２】
前記ブラスト加工はドライアイス粒子を前記傷に吹付けて行うことを特徴とする請求項１に記載の画像形成装置のリサイクル方法。
【請求項３】
樹脂部品に付いた傷をブラスト加工によって消すことを特徴とする樹脂部品のリサイクル方法。
【請求項４】
前記ブラスト加工はドライアイス粒子を前記傷に吹付けて行うことを特徴とする請求項３に記載の樹脂部品のリサイクル方法。
【発明の詳細な説明】
【技術分野】
【０００１】
本発明は、少なくとも感光体を支持した支持フレームが、画像形成装置本体に挿抜可能に収納された画像形成装置のリサイクル方法、及び樹脂部品のリサイクル方法に関する。
【背景技術】
【０００２】
従来から感光体や感光体の周囲のメンテナンス性を向上させるために、感光体等を支持する支持フレームを、画像形成装置本体に挿抜可能に収納した画像形成装置が考案されている（例えば、特許文献１参照）。この画像形成装置では、支持フレームの上部に取付けられた板材を、画像形成装置本体に取付けられたガイドレールで摺動可能に支持することで、支持フレームを画像形成装置本体から挿抜可能としているが、支持フレームが画像形成装置本体に挿抜される際、画像形成装置本体側に支持フレームの下面に近接して配置された部材が、支持フレームの下面に摺擦して筋状の傷を付けてしまう（図３参照）。
【０００３】
ところで、以前より、使い古された感光体等の消耗品のみを交換し、支持フレーム等の非消耗品は洗浄して再利用する方法で画像形成装置のリサイクルが行われている。
【０００４】
しかし、上述したように、支持フレームには傷が付いており、この傷が、支持フレームを画像形成装置本体から引き出した際に露出するので、支持フレームをそのまま再利用するのは外観上好ましくないという問題があった。
【特許文献１】特開平１１−２２４０４０号公報
【発明の開示】
【発明が解決しようとする課題】
【０００５】
本発明は上記事実を考慮してなされたものであり、画像形成装置のリサイクルにおいて、再利用される支持フレームの外観不良を防止することを目的とする。
【課題を解決するための手段】
【０００６】
請求項１に記載の画像形成装置のリサイクル方法は、少なくとも感光体を支持した支持フレームが、画像形成装置本体に挿抜可能に収納された画像形成装置のリサイクル方法であって、前記画像形成装置本体が、前記支持フレームに摺擦する摺擦部材を備え、前記摺擦部材が摺擦する前記支持フレームの摺擦部に付いた傷をブラスト加工によって消すことを特徴とする。
【０００７】
請求項１に記載の画像形成装置のリサイクル方法によってリサイクルを行われる画像形成装置は、少なくとも感光体を支持した支持フレームが、画像形成装置本体に挿抜可能に収納される。このため、支持フレームの広範囲がユーザーによって見られるので、支持フレームに傷等があることは外観上好ましくない。
【０００８】
しかし、この画像形成装置本体には、支持フレームに摺擦するガイド部材等の摺擦部材が備えられており、摺擦部材が摺擦する支持フレームの摺擦部には摺擦部材によって傷が付けられている。
【０００９】
このため、本リサイクル方法では、ドライアイスブラスト等のブラスト加工を支持フレームの摺擦部に施し、摺擦部を削って傷を消すことで、再利用される支持フレームの外観不良を防止する。
【００１０】
請求項２に記載の画像形成装置のリサイクル方法は、請求項１に記載の画像形成装置のリサイクル方法であって、前記ブラスト加工はドライアイス粒子を前記傷に吹付けて行うことを特徴とする。
【００１１】
請求項２に記載の画像形成装置のリサイクル方法では、ドライアイス粒子を支持フレームの傷に吹付けて傷を削って消すことで、最利用される支持フレームの外観不良を防止する。
【００１２】
ここで、ブラスト加工としてドライアイスブラストを採用したのは、ドライアイス粒子が常温で昇華され、ブラスト加工後、支持フレームに残らないためである。これによって、ブラスト加工後の支持フレームの洗浄が不要となり、作業工数や作業時間を短縮できる。
【００１３】
なお、請求項１又は２に記載の画像形成装置のリサイクル方法において、ブラスト加工を正確に行うためのガイド保持具を使用することが望ましい。また、ブラスト加工の際の圧力は、０．２ＭＰａ〜０．４ＭＰａとすることが望ましい。
【００１４】
その場合、粒子が摺擦部に吹付けられる吹付け圧を上昇させることができ、短時間で摺擦部の傷を消すことができるので、作業時間を短縮でき、また、摺擦部に吹付ける粒子の消費量を減少できる。
【００１５】
請求項３に記載の樹脂部品のリサイクル方法は、樹脂部品に付いた傷をブラスト加工によって消すことを特徴とする。
【００１６】
請求項３に記載の樹脂部品のリサイクル方法では、樹脂部品をリサイクルする際、樹脂部品に傷が付いていれば、この傷をブラスト加工によって消してから、樹脂部品をリサイクルする。これによって、リサイクルされた樹脂部品の外観不良を防止できる。
【００１７】
なお、対象となる樹脂部品の樹脂材質には特に制限は無いが、ＡＢＳ、ＨＩＰＳ、ＰＰ、ＰＣＡＢＳ等が用いられる。
【００１８】
請求項４に記載の樹脂部品のリサイクル方法は、請求項３に記載の樹脂部品のリサイクル方法であって、前記ブラスト加工はドライアイス粒子を前記傷に吹付けて行うことを特徴とする。
【００１９】
請求項４に記載の樹脂部品のリサイクル方法では、ドライアイスブラストによって樹脂部品に付いた傷を消すことによって、リサイクルされる樹脂部品の外観不良を防止している。ここで、ドライアイス粒子は常温で昇華されるので、ブラスト加工後の樹脂部品にはブラスト粒子が何も残らない。従って、ブラスト加工後の樹脂部品の洗浄が不要となり、作業工数、作業時間を短縮できる。
【発明の効果】
【００２０】
本発明は上記構成にしたので、画像形成装置のリサイクルにおいて、再利用される支持フレームの外観不良を防止できる。
【発明を実施するための最良の形態】
【００２１】
以下に図面を参照しながら本発明の第１実施形態について説明する。
【００２２】
図１に示すように、本発明のリサイクル方法によってリサイクルされる画像形成装置としてのレーザープリンタ１０では、感光体１２等が支持フレーム１４によって支持された感光体ユニット１１が、プリンタ本体１６の収納部１６Ａに挿抜可能に収納されている。図２に示すように、プリンタ本体１６の感光体ユニット１１が挿抜される側の面（以下、前面と言う）には、レバー２６が回動可能に取付けられている。このレバー２６を図中鎖線で示すように時計回り方向に回動させると支持フレーム１４にロックが掛かり、支持フレーム１４が引き抜き不能となる。また、図中実線で示すように、レバー２６を反時計回り方向に回動させると支持フレーム１４のロックが解除され、引き抜き可能となる。
【００２３】
なお、このレバー２６の回動によって図示しない中間転写ベルトが感光体１２に接離される。即ち、レバー２６を時計回り方向に回動すると中間転写ベルトが感光体１２に接近し、当接される。この状態で、支持フレーム１４は引き抜き不能となっているので、感光体１２と中間転写ベルトが摺擦することがなく、感光体１２に擦り傷が付くことはない。また、レバー２６を反時計回り方向に回動すると中間転写ベルトが感光体１２から離間する。この状態で、引き抜き可能となっている支持フレーム１４を引き抜いても感光体１２と中間転写ベルトとの間には隙間が空けられているので、感光体１２と中間転写ベルトが摺擦することがなく、感光体１２に擦り傷が付くことがない。
【００２４】
図３に示すように、支持フレーム１４をプリンタ本体１６の前面側から見て、支持フレーム１４の左下部には感光体１２が配置され、支持フレーム１４の右下部にはクリーナ装置１８が配置されている。
【００２５】
また、支持フレーム１４には、感光体１２の上方で帯電ローラ（図示省略）を保持する帯電ローラ保持板２０が取付けられている。この帯電ローラ保持板２０がプリンタ本体１６に取付けられたガイドレール（図示省略）によって挿抜方向に摺動可能に支持されていることで、支持フレーム１４をプリンタ本体１６に挿抜できるようになっている。
【００２６】
ここで、支持フレーム１４は、左上部を支点としてプリンタ本体１６に支持されており、重心が左側に偏っているので、支持フレーム１４はプリンタ本体１６に右側が下がった状態で支持されている。このため、図４に示すように、支持フレーム１４の右側下面１４Ａは、プリンタ本体１６の収納部１６Ａの右隅に取付けられたガイド板２２と当接する。従って、支持フレーム１４をプリンタ本体１６に挿抜する際に、支持フレーム１４の右側下面１４Ａとガイド板２２とが摺擦し、支持フレーム１４の右側下面１４Ａには挿抜方向に延出する擦り傷が付いてしまう。
【００２７】
ところで、感光体ユニット１１は、所定期間稼動し、または、所定枚数印字し、感光体１２等の消耗品の品質が低下してくると、交換されるが、本実施形態では、感光体１２等の消耗品のみを交換し、支持フレーム１４等の非消耗品は、洗浄するだけで再利用する。
【００２８】
しかし、上述したように、支持フレーム１４の右側下面１４Ａには、筋状の擦り傷が付いているので、そのまま支持フレームを再利用するのは外観上好ましくない。そこで、図５に示すように、ドライアイスブラスト装置２８によって支持フレーム１４の右側下面１４Ａにドライアイスブラスト加工を施すことによって、右側下面１４Ａを削り、擦り傷を消す。
【００２９】
図５（Ａ）に示すように、ドライアイスブラスト装置２８のノズル２８Ａを右側下面１４Ａに略直角に向けてドライアイス粒子を擦り傷に向けて吹付ける。そして、挿抜方向に延出する傷に沿ってノズル２８Ａを移動させて、図５（Ｂ）に示すように、右側下面１４Ａの傷全体を消す。これによって、支持フレーム１４を再利用してリサイクルされた感光体ユニット１１の外観不良を防止できる。
【００３０】
また、ドライアイスは常温で昇華するので、右側下面１４Ａの傷を消した後、支持フレーム１４には何も残らない。このため、右側下面１４Ａの傷を消した後の支持フレーム１４の洗浄が不要となり、作業工数や作業時間を短縮できる。
【００３１】
次に、第２実施形態のレーザープリンタ１００について説明する。なお、第１実施形態と同様の構成には同一の符号を付し、説明は省略する。
【００３２】
図６に示すように、レーザープリンタ１００では、感光体１２を備える感光体ユニット３０がプリンタ本体３２に挿抜可能に収納されている。また、図示しない現像手段へ供給されるトナーが充填されたトナーカートリッジ３４が、プリンタ本体３２の感光体ユニット３０が挿抜される側の面（以下、前面と言う）に、略水平に支持されている。このトナーカートリッジ３４は、プリンタ本体３２の前面の左端に回動可能に支持された支持部３４Ａに着脱可能に取付けられている。
【００３３】
ここで、図７に示すように、トナーカートリッジ３４の軸方向の非支持側は感光体ユニット３０を支持する支持フレーム３６の上面に被さっているが、トナーカートリッジ３４は、軸方向の支持側端部を支持され軸方向の非支持側を自重で下げて、支持フレーム３６に当接させている。
【００３４】
即ち、図６に示すように、トナーカートリッジ３４を回動させるとトナーカートリッジ３４の軸方向非支持側端部が、感光体ユニット３０の支持フレーム３６に摺擦し、図８、図９（Ａ）に示すように、支持フレーム３６の上面３６Ａに擦り傷が付いてしまう。
【００３５】
このため、第１実施形態と同様、感光体ユニット３０をリサイクルする際、非消耗品である支持フレーム３６をそのまま再利用するのは外観上好ましくない。そこで、ドライアイスブラスト装置２８によって支持フレーム３６の上面３６Ａにドライアイスブラスト加工を施すことによって、上面１６Ａを削り、擦り傷を消す。
【００３６】
図９（Ｂ）に示すように、ドライアイスブラスト装置２８のノズル２８Ａを上面３６Ａに略直角に向けてドライアイス粒子を擦り傷に向けて吹付ける。そして、挿抜方向に延出する傷に沿ってノズル２８Ａを移動させて、図９（Ｃ）に示すように、上面３６Ａの傷全体を消す。これによって、支持フレーム３６を再利用してリサイクルされた感光体ユニット３０の外観不良を防止できる。
【００３７】
また、第１、第２実施形態では、レーザープリンタのリサイクルを例に取って本発明を説明したが、これに限らず、ブラスト加工によって削ることが出来る樹脂部品のリサイクルに本発明を適用可能である。
【図面の簡単な説明】
【００３８】
【図１】第１実施形態のレーザープリンタを示す斜視図である。
【図２】第１実施形態のレーザープリンタの前面を示す正面図である。
【図３】第１実施形態のレーザープリンタの感光体ユニットの概略を示す正面図である。
【図４】第１実施形態のレーザープリンタの支持フレームの右側下面を示す斜視図である。
【図５】（Ａ）、（Ｂ）は、第１実施形態のレーザープリンタの支持フレームの右側下面を示す斜視図である。
【図６】第２実施形態のレーザープリンタを示す斜視図である。
【図７】第２実施形態のレーザープリンタの前面を示す正面図である。
【図８】第２実施形態のレーザープリンタの支持フレームの上面を示す斜視図である。
【図９】（Ａ）〜（Ｃ）は、第２実施形態のレーザープリンタの支持フレームの上面を示す斜視図である。
【符号の説明】
【００３９】
１０    レーザープリンタ（画像形成装置）
１２    感光体
１４    支持フレーム（樹脂部品）
１４Ａ  右下下面（摺擦部）
１６    プリンタ本体（画像形成装置本体）
２２    ガイド板（摺擦部材）
３４    トナーカートリッジ（摺擦部材）
３６    支持フレーム（樹脂部品）
３６Ａ  上面（摺擦部）
１００  レーザープリンタ（画像形成装置）
【図１】
2005326649.tif 000003
【図２】
2005326649.tif 000004
【図３】
2005326649.tif 000005
【図４】
2005326649.tif 000006
【図５】
2005326649.tif 000007
【図６】
2005326649.tif 000008
【図７】
2005326649.tif 000009
【図８】
2005326649.tif 000010
【図９】
2005326649.tif 000011